(57)【特許請求の範囲】
【請求項１】
ＤＡＢ受信部と、ＦＭ受信部と、補完部とを一体に有するＤＡＢ／ＦＭ受信機であって、
前記補完部は、
前記ＤＡＢ受信部に入力された受信ＤＡＢ音声信号と、前記ＦＭ受信部に入力された受信ＦＭ音声信号との間の位相を一致させる位相調整手段と、
前記位相調整手段を経た前記受信ＤＡＢ音声信号および前記受信ＦＭ音声信号のいずれか一方を選択して出力する選択手段と、
前記受信ＤＡＢ音声信号および前記受信ＦＭ音声信号のいずれか一方に発生した異常を監視し、該異常を検出したときに前記選択手段を制御する異常検出手段と、
前記異常検出手段にて、前記受信ＤＡＢ音声信号および前記受信ＦＭ音声信号のいずれか一方に前記異常が発生したとき、該異常の発生した一方の音声信号と他方の音声信号とから生成される音声信号を、前記受信ＤＡＢ音声信号または前記受信ＦＭ音声信号として前記選択手段に印加する補完制御手段とから構成されることを特徴とするＤＡＢ／ＦＭ受信機。
【請求項２】
前記位相調整手段は、前記受信ＤＡＢ音声信号と前記受信ＦＭ音声信号との間の位相差を検出する比較部と、前記受信ＦＭ音声信号に遅延を加える遅延部とからなり、該遅延部での遅延に対し、前記比較部による比較結果に応じた微調整を加える請求項１に記載のＤＡＢ／ＦＭ受信機。
【請求項３】
前記補完制御手段は、前記受信ＤＡＢ音声信号のデータの履歴を保存し、前記異常が検出されたとき、当該異常部分のデータを該履歴から予測して予測値を得、さらに、該異常検出時の前記受信ＦＭ音声信号のデータと前記予測値のデータとの平均値を生成して、該平均値のデータを前記選択手段から出力する請求項１に記載のＤＡＢ／ＦＭ受信機。
【請求項４】
前記受信ＤＡＢ音声信号のデータの履歴を、データの前記異常部分を挟んでその前後にわたり保存し、前記予測値はその前後の履歴データから得る請求項３に記載のＤＡＢ／ＦＭ受信機。
【請求項５】
前記補完制御手段は、前記受信ＤＡＢ音声信号に発生した前記異常を検出したとき、前記遅延部に与える前記比較部からの前記微調整の量を現状のまま維持する請求項２に記載のＤＡＢ／ＦＭ受信機。
【請求項６】
前記補完制御手段は、前記受信ＦＭ音声信号のレベルを前記受信ＤＡＢ音声信号のレベルに合わせる機能を備える請求項１に記載のＤＡＢ／ＦＭ受信機。
【請求項７】
前記補完制御手段は、前記受信ＤＡＢ音声信号に発生した前記異常を検出したとき、前記受信ＦＭ音声信号のレベルに対する前記受信ＤＡＢ音声信号のレベルへのレベル合わせを現状のまま維持する機能をさらに備える請求項６に記載のＤＡＢ／ＦＭ受信機。
【請求項８】
前記受信ＤＡＢ音声信号および前記受信ＦＭ音声信号が共にモノラル放送の受信信号であるとき、
前記受信ＤＡＢ音声信号のＬチャネルの信号およびＲチャネルの信号の一方に前記異常が発生したときは、前記選択手段から他方の信号を出力せしめ、
前記受信ＤＡＢ音声信号のＬチャネルの信号およびＲチャネルの信号の双方に前記異常が発生したときは、前記受信ＦＭ音声信号のＬチャネルの信号およびＲチャネルの信号の和の１／２を、前記選択手段から出力せしめるＤＡＢ／ＦＭ受信機。
【請求項９】
前記補完制御手段は、前記受信ＤＡＢ音声信号および前記受信ＦＭ音声信号を入力としてこれらに異なる補完演算を行って複数種の補完出力を生成し、前記選択手段は該複数種の補完出力のいずれか１つを選択する請求項１に記載のＤＡＢ／ＦＭ受信機。
【請求項１０】
前記補完制御手段は、前記補完演算において、演算対象となる複数の信号の少なくとも１つに対し、所定の重み付けを行う請求項９に記載のＤＡＢ／ＦＭ受信機。
【請求項１１】
前記選択手段が前記複数種の補完出力のいずれを選択すべきかを外部から指定するユーザインタフェースを備える請求項９に記載のＤＡＢ／ＦＭ受信機。
【請求項１２】
前記補完制御手段は、前記受信ＤＡＢ音声信号のＬチャネルの信号およびＲチャネルの信号を用いて、前記ＦＭ受信部内のステレオ復調部におけるＬチャネルの信号およびＲチャネルの信号の相互の分離度を改善する請求項１に記載のＤＡＢ／ＦＭ受信機。
【請求項１３】
前記補完制御手段は、前記受信ＤＡＢ音声信号の高域成分を抽出し、これを前記受信ＦＭ音声信号に付加する請求項１に記載のＤＡＢ／ＦＭ受信機。
【発明の詳細な説明】
【０００１】
【発明の属する技術分野】
本発明はＤＡＢおよびＦＭの両放送を受信可能なＤＡＢ／ＦＭ受信機に関する。
近年ヨーロッパを中心としてＤＡＢ（Digital Audio Broadcasting）と称される新しい放送が開始され、一部商用に供され始めている。このＤＡＢは、１つの送信電波（アンサンブル）の中に複数の局のサービスを含ませてユーザに対し放送するものであり、従来のアナログ（ＦＭ）放送とは全く異なる形態の放送である。
【０００２】
今後の受信機はかかるＤＡＢに対応した受信機に統一されて行くものと思われる。しかしＤＡＢ受信機に統一されるまでには相当の時間を要することは必至であり、このため当面は、ＤＡＢ受信機と既存のＦＭ対応のＦＭ受信機とが混在する状況が続くものと考えられる。本発明はこのような状況下で使用するのに好適なＤＡＢ／ＦＭ受信機について述べる。
【０００３】
【従来の技術】
図２４はＤＡＢ局とＦＭ局とが混在する様子を表す図である。本図において、参照番号１はＤＡＢ−１局のサービスエリアを表し、同様に２はＤＡＢ−２局のサービスエリアを、３はＦＭ局のサービスエリアを表す。
前述のとおりＤＡＢ局は複数の局のサービスを含んで放送を行うことから、ＦＭ局のサービスソースと全く同じサービスソースが、例えばＤＡＢ−１局からも同時に提供（放送）されるということがしばしば起こる。本図において（Ａ）はその同一のサービスソース例えば音楽プログラムを表している。
【０００４】
一般にサービスエリア１，２，３の周縁部分では受信機の受信状況が劣化する。これは各サービスエリアの中心にある各局からの距離が遠くなるので必然のことである。このような受信状況の劣化は避け難いが、上述した同一のサービスソース（Ａ）を重複して受信する交差サービスエリア（参照番号４）では、受信条件は悪いとはいえ、二方向から同一のサービスソース（Ａ）を受信可能という特別な受信条件を享受できる。
【０００５】
【発明が解決しようとする課題】
このような状況に鑑みると、ＤＡＢの受信機能とＦＭの受信機能とを兼備したＤＡＢ／ＦＭ受信機を前提として、上述した、二方向からの同一のサービスソースを受信可能という特別な受信条件を利用することに着目したＤＡＢ／ＦＭ受信機を実現することができる。
【０００６】
すなわち本発明は、同一内容を放送するＤＡＢ局とＦＭ局とがそれぞれのサービスエリアを接して存在する地域において、より一層高品質な音声サービスを受けることのできるＤＡＢ／ＦＭ受信機を提供することを目的とするものである。
【０００７】
【課題を解決するための手段】
図１は本発明に係るＤＡＢ／ＦＭ受信機の基本構成を表す図である。
本図において、参照番号１０はＤＡＢ／ＦＭ受信機であり、ＤＡＢ受信部１１と、ＦＭ受信部１２と、補完部１３とを一体に有してなる。
ここに補完部１３は、補完制御手段１４と、位相調整手段１５と、異常検出手段１６と、選択手段１７とからなる。
【０００８】
位相調整手段１５は、ＤＡＢ受信部１１に入力された受信ＤＡＢ音声信号と、ＦＭ受信部１２に入力された受信ＦＭ音声信号との間の位相を一致させる。
選択手段１７は、位相調整手段１５を経た受信ＤＡＢ音声信号および受信ＦＭ音声信号のいずれか一方を選択して出力する。
異常検出手段１６は、受信ＤＡＢ音声信号および受信ＦＭ音声信号のいずれか一方に発生した異常を監視し、その異常を検出したときに選択手段１７を制御する。
【０００９】
補完制御手段１４は、異常検出手段１６にて、受信ＤＡＢ音声信号および受信ＦＭ音声信号のいずれか一方に異常が発生したとき、その異常の発生した一方の音声信号を正常な他方の音声信号により補完して選択手段１７に印加する。
本発明によれば、上記のような構成により、特にＤＡＢ局とＦＭ局とが、それぞれのサービスエリア１および３を接して存在するような地域（４）において、一層高品質な音声サービスをユーザに対し提供することが可能となる。
【００１０】
【発明の実施の形態】
図２は本発明に係るＤＡＢ／ＦＭ受信機の一具体例を示す図である。なお全図を通して、同様の構成要素には同一の参照番号または記号を付して示す。
図２において、ＤＡＢ受信部１１は、アンテナからの受信信号を入力とするＯＦＤＭ（Orthogonal Frequency Division Multiplex ）復調回路２１と、その復調出力（ディジタル）に対し誤り訂正を行う誤り訂正回路２２と、さらにＤＡＢ局にてＭＰＥＧに従ってエンコードされたデータをデコードするＭＰＥＧデコード回路２３等を含んでなる。なお、ＬはＬ（left）チャネルの受信ＤＡＢ音声信号を表し、ＲはＲ（right ）チャネルの受信ＤＡＢ音声信号を表す。
【００１１】
一方ＦＭ受信部１２は、アンテナからの受信信号を入力とするＦＭの復調回路２４と、その復調出力を処理するステレオ復調回路２５等を含んでなる。なお、ＬとＲは、それぞれＬチャネルおよびＲチャネルの受信ＦＭ音声信号を表す。
上記の受信ＤＡＢ信号および受信ＦＭ信号は、本発明に係る補完部１３に入力されて、必要な補完処理がなされた後出力され、オーディオ出力部（図示せず）に入力される。
【００１２】
上記の各種回路（２１〜２５）および補完部１３の全体的な制御はマイコン２６が司る。
図３は補完部１３の第１の構成例を示す図である。本図では、位相調整手段１５と、異常検出手段１６と、選択手段１７とを示している。なお簡単のために、以下Ｌチャネル系の構成のみを図示し、Ｒチャネル系の構成は、Ｌチャネル系とほぼ同様なので、記載を省略する。
【００１３】
本図の位相調整手段１５は、受信ＤＡＢ音声信号と受信ＦＭ音声信号との間の位相差を検出する比較部２７と、受信ＦＭ音声信号に遅延を加える遅延部２８とからなり、この遅延部２８での遅延に対し、比較部２７による比較結果に応じた微調整を加える。
また、異常検出手段１６は、受信ＤＡＢ音声信号に発生したデータエラーおよびデータ異常のうちの少なくとも一方を監視し、これらのうちの一方を検出したとき、選択手段１７より受信ＦＭ音声信号を出力せしめる。なお本図の異常検出手段１６は上記のデータ異常を検出する手段として示している。データ異常とは、サンプリングデータの一部欠落や、あるいはサンプリングデータが本来とり得ないビット構成になっていること等を意味する。
【００１４】
図４はデータ異常が発生したときの補完処理を表す波形図である。ただし理解し易いようにアナログ波形で示す。
図４の（ａ）は、図３のＦＭ側のＬ（Ｒ）信号を表す。この信号は遅延部２８にて遅延が加えられ、図４の（ｂ）のようにシフトする。
ＤＡＢ受信部１１ではやや複雑なディジタル処理を要するため、ＤＡＢのＬ（Ｒ）信号はＦＭのＬ（Ｒ）信号に対し、その処理時間分の遅延が生ずる。例えば数msの遅延である。このため遅延部２８が必要となる。
【００１５】
しかしながら実際には、ＦＭのＬ（Ｒ）信号の位相とＤＡＢのＬ（Ｒ）の信号の位相とが常に完全に一致することはなく、例えば数μｓの位相ずれが生ずる。これを補正するのが比較部２７および遅延部２８であり、上記位相ずれを補正するための微調整を加える。
さてここで図４の（ｃ）を参照すると、期間ｔにおいて上記のデータ異常、例えばＤＡＢデータの欠落が生じている。
【００１６】
そこでこの期間ｔでは、選択手段１７において入力の切換えを行い、正常なＦＭ音声信号（図４の（ｂ））により、ＤＡＢ音声信号を補完する。
図５は補完部１３の第２の構成例を示す図である。
本図における異常検出手段１６は既述のデータエラーを検出する手段として示している。データエラーとは、ＣＲＣあるいはパリティーチェック等により発見された異常のことであり、図２に示すＭＰＥＧデコード回路２３でのＣＲＣ演算による誤り検出によって得られたＭＰＥＧエラーが、そのデータエラーに相当する。図２のＭＰＥＧデコード回路２３からのＥは、ＭＰＥＧエラー信号を表す。
【００１７】
異常検出手段１６がそのようなＣＲＣ演算による誤り検出結果をデータエラーとして入力する場合、ＤＡＢのデータにはＣＲＣ演算による１フレーム分の遅れがでる。
そこで、その１フレーム分の時間だけＤＡＢの信号もＦＭの信号も保持しておく必要がある。このために図５に示すバッファ３１および３２が設けられる。ただし、ＭＰＥＧエラー信号Ｅを利用するときだけバッファ３１および３２をアクティブにするために、制御入力Ｃを異常検出手段１６より受ける。
【００１８】
図６はデータエラーが発生したときの補完処理を表す波形図である。本図は前述の図４と同様である。
図６の（ａ）および（ｂ）は、図４の（ｂ）および（ｃ）に相当する。データエラーとしてＭＰＥＧエラー信号が発生したものとすると、当該１フレーム分の期間Ｔは、ＦＭのＬ（Ｒ）信号でＤＡＢのＬ（Ｒ）信号を補完する。
【００１９】
なお、図５において、１フレーム分のデータ保持用として設けられたバッファ３２は、遅延部２８と一体にして、これを省略してもよい。
図７は補完部１３の第３の構成例を示す図である。
本図における異常検出手段１６は、データ異常とデータエラー（ＭＰＥＧエラー信号）の双方を入力とするものである。
【００２０】
この第３の構成例における異常検出手段１６は、データエラー（ＭＰＥＧエラー信号）およびデータ異常の双方を検出し、このデータエラーの発生期間（Ｔ）とそのデータ異常の発生期間（ｔ）とが重複する期間のみ、選択手段１７から受信ＦＭ音声信号を出力せしめるようにしている。
図８は異常が発生したときの補完処理を表す波形図である。本図の（ａ），（ｂ）および（ｃ）は、前述した図６の（ａ），（ｂ）および（ｃ）にそれぞれ対応するが、図８の（ｃ）においては、上記のデータエラーの発生期間Ｔと上記のデータ異常の発生期間ｔとが重複する期間のみ、ＤＡＢの信号をＦＭの信号で補完するようにしている。
【００２１】
上記の重複する期間は、図７においてＡＮＤゲート３３により検出される。このように重複する期間に限定することにより、確実にエラーが発生している部分においてのみ補完を実行できることになる。すなわち、データエラーとデータ異常とが同時に発生しているときは、当該異常は確実に発生していると考えてよい。
【００２２】
図９は補完部１３の第４の構成例を示す図である。
この第４の構成例において示す補完制御手段１４は、受信ＤＡＢ音声信号のデータの履歴を保存し、異常が検出されたとき、当該異常部分のデータをその履歴から予測して予測値を得、さらに、この異常検出時の受信ＦＭ音声信号のデータとその予測値のデータとの平均値を生成して、この平均値のデータを選択手段１７から出力する。
【００２３】
図９を参照すると、上記のデータの履歴の保存は記憶回路３５で行う。異常が検出されたことが異常検出手段１６より通知された予測値算出回路３６は、記憶回路３５に保存されている履歴データをもとに当該異常部分のデータの確からしい値を予測する。この予測値は平均値算出回路３７の第１入力に印加される。平均値算出回路３７の第２入力にはＦＭの信号が入力されており、これら第１および２入力の各信号の値の平均値を該回路３７にて生成する。そしてこの平均値が選択手段１７により選択されて出力される。
【００２４】
ここでＦＭの信号とＤＡＢの信号との平均をとるようにしたのは、異常が発生するような状況下では、ＦＭの信号の信頼性も低くなっているからであり、平均値をとることにより、相互で補完し合ってより確からしい信号を出力するようにしたものである。
図１０はＤＡＢの信号の予測値を得る過程を表した図である。
【００２５】
本図において小さい○はＤＡＢ信号の各サンプリング点を示す。今、図中のＰにおいてＤＡＢのサンプリングデータが欠落するという異常が異常検出手段１６により発見されたものとすると、ここで補完制御手段１４は、記憶回路３５に保存していた、例えば過去４つのサンプリング点（図中のＨ）のデータを読み出して図１０のＰにおける確からしいサンプリングデータを予測値算出回路３６にて生成する。さらに上述のとおり平均値算出回路３７に入力する。
【００２６】
図１１は補完部１３の第５の構成例を示す図である。
この第５の構成例に示す補完制御手段１４は、第４の構成例（図９）における同手段１４と基本的に同じであるが、両者が相違するのは、第５の構成例においては、受信ＤＡＢ音声信号のデータの履歴を、データの異常部分を挟んでその前後にわたり保存し、既述の予測値はその前後の履歴データから得るようにした点である。
【００２７】
したがって図１１における予測値算出回路３８は、図９における予測値算出回路３６と若干異なる。
図１２はＤＡＢの信号の予測値を得る過程を表した図である。
図１０を参照しながら図１２を見ると、ＤＡＢのサンプリングデータの欠落部Ｐに対して時間的に前の２つのサンプリング点（Ｈ１）の各データと時間的に後の２つのサンプリング点（Ｈ２）の各データとが、記憶回路３５から読み出されて、予測値算出回路３８に入力され、予測値が生成される。
【００２８】
図１２においては図１０と比べると、サンプリングデータの欠落部Ｐに最も時間的に近いデータが予測のために用いられており、予測の精度は、第５の構成例の方が第４の構成例より高くなる。
しかし第５の構成例では上記の欠落部Ｐよりも時間的に後に発生するサンプリングデータを必要とするので、その分ＤＡＢの信号もＦＭの信号も全体に遅らせなければならない。図１１における遅延回路４１および４２はそのために設けられている。
【００２９】
図１３は補完部１３の第６の構成例を示す図である。
この第６の構成例において、補完制御手段１４は、受信ＤＡＢ音声信号に発生した異常を検出したとき、遅延部２８に与える比較部２７からの既述した微調整の量を現状のまま維持するように動作する。
現状のまま維持するとは、異常時直前の微調整の量をそのまま保持することを意味し、このために図１３に示す保持回路４３が設けられる。
【００３０】
異常が発生するような状況下では、ＤＡＢの信号もＦＭの信号も正常ではない蓋然性が高く、そのような状況下で比較部２７による位相合わせ制御を行ってもその信頼性に欠ける。そこでこのような場合には、異常発生前の位相制御量をそのまま用いて、遅延部２８の遅延量を制御する方がより確からしい制御が行える。
【００３１】
図１４は補完部１３の第７の構成例を示す図である。
この第７の構成例において、補完制御手段１４は、受信ＦＭ音声信号のレベルを受信ＤＡＢ音声信号のレベルに合わせる機能▲１▼を備える。
さらにまた補完制御手段１４は、受信ＤＡＢ音声信号に発生した異常を検出したとき、受信ＦＭ音声信号のレベルに対する受信ＤＡＢ音声信号のレベルへのレベル合わせを現状のまま維持する機能▲２▼をさらに備える。
【００３２】
図１４を参照すると、上記の機能▲１▼は、ＤＡＢ信号とＦＭ信号の各レベルを比較する比較部２７Ｌと、その比較結果に応じてＦＭ信号のレベルを調整するアンプ（ＡＭＰ）４５とが設けられ、該アンプ４５のゲインが制御されて、ＤＡＢ信号のレベルにＦＭ信号のレベルが合わせられる。
また上記の機能▲２▼について見ると、上記の異常を検出したとき、レベル用の保持回路４３Ｌに保持された直前のゲインがアンプ４５に与えられる。
【００３３】
図１３において説明したのと同様、異常が発生するような状況下では、ＤＡＢの信号もＦＭの信号も正常ではない蓋然性が高く、そのような状況下でレベル比較用の比較部２７Ｌによるレベル制御を行ってもその信頼性に欠ける。そこでこのような場合には、異常発生前のレベル制御量（ゲイン）をそのまま用いて、アンプ４５のゲインを制御する方がより確からしい制御が行える。
【００３４】
なお位相制御のための比較部２７Ｐおよび保持回路４３Ｐは、図１３に示す同回路２７および４３と全く同じである。
図１５は補完部１３の第８の構成例を示す図である。
この第８の構成例においては、受信ＤＡＢ音声信号および受信ＦＭ音声信号が共にモノラル放送の受信信号であるときを想定している。
【００３５】
（ｉ）受信ＤＡＢ音声信号のＬチャネルの信号およびＲチャネルの信号の一方に異常が発生したときは、選択手段１７′から他方の信号を出力せしめる。
（ii）受信ＤＡＢ音声信号のＬチャネルの信号およびＲチャネルの信号の双方に異常が発生したときは、選択手段１７−Ｌおよび１７−Ｒから受信ＦＭ音声信号のＬチャネルの信号およびＲチャネルの信号を出力せしめる。
【００３６】
選択手段１７′，１７−Ｌおよび１７−Ｒの制御を行うのは選択制御部４６であり、この選択制御部４６は、ＤＡＢ側のＬチャネル信号ＬDAB およびＲチャネル信号ＲDAB を個別に監視する異常検出手段１６−Ｌおよび１６−Ｒの各検出出力に基づいて制御されると共に、ステレオ検出部４７によっても制御される。ステレオ検出部４７は、ステレオを検出しないときにモノラルの信号であると判断する。
【００３７】
ＦＭ側のＬチャネル信号ＬFMおよびＲチャネル信号ＲFMはそれぞれ対応する比較部２７−Ｌおよび２７−Ｒと、対応する遅延部２８−Ｌおよび２８−Ｒとによって処理されることは基本的に図３の構成と同じである。
選択動作例を表わすと以下のとおりである。
（ｉ）ＤＡＢのＬ，Ｒ共に異常なし→ＤＡＢのＬ，Ｒを各々出力
（ii）ＤＡＢのＬ，Ｒのどちらかが異常→ＤＡＢの正常なチャネルを出力
（iii ）ＤＡＢのＬ，Ｒ共に異常→ＦＭを出力
上記（ｉ），（ii）および（iii ）における選択手段１７−Ｌおよび１７−Ｒからの各出力Ｌ0 およびＲ0 は以下のとおりである。
【００３８】
（ｉ）Ｌ0 ＝ＬDAB ，Ｒ0 ＝ＲDAB 
（ii）Ｌ0 ＝Ｒ0 ＝ＤＡＢの正常なチャネル
（iii ）Ｌ0 ＝ＬFM，Ｒ0 ＝ＲFM
図１６は補完部の第９の構成例を示す図である。
この第９の構成例も第８の構成例と同様モノラル放送の場合の構成を示し、受信ＤＡＢ音声信号のＬチャネルの信号およびＲチャネルの信号の双方に異常が発生したとき、補完制御手段１４は、受信ＦＭ音声信号のＬチャネルの信号およびＲチャネルの信号の和の１／２を、選択手段１７から出力せしめるようにする。
【００３９】
この図１６の構成は、図１５の点線のブロック内に位置する。ただし、上記補完制御手段１４に加算回路５１および１／２除算回路５２が追加され、上記の、Ｌチャネルの信号およびＲチャネルの信号の和の１／２の出力値を演算する。また選択手段１７−Ｌ′および１７−Ｒ′が追加されている。モノラル時には、これら選択手段１７−Ｌ′および１７−Ｒ′は、図中の下側接点に接続し、（ＬFM＋ＲFM）／２を、Ｌ′FMおよびＲ′FMとして、図１５の選択手段１７−Ｌおよび１７−Ｒに供給する。
【００４０】
図１７は補完部１３の第１０の構成例を示す図である。
これまでの構成例は、ＤＡＢの信号を、異常発生時に、ＦＭの信号によって補完するという考え方に立脚しているが、この第１０の構成例は、その考え方を逆にしている。つまり異常検出手段１６にて受信ＦＭ音声信号に異常が発生したことを検出したとき、選択手段１７から受信ＤＡＢ音声信号を出力せしめるようにする。
【００４１】
この場合の異常の要因としては、図１７に示すとおり、「マルチパス検出」や「Ｓレベル」がある。Ｓレベルは、受信信号レベルが所定のスレッショルドを下まわったことを表す。この他に、受信ＦＭ音声信号のノイズレベルが所定値以上になったときに異常とすることもできる。
上記の異常要因は例えば図２に示す復調回路２４において検出可能であり、その検出結果を同図中Ｅ′として示す。このＥ′は図１７の左下に示されている。
【００４２】
図１８は補完部１３の第１１の構成例を示す図である。
この第１１の構成例において、補完制御手段１４は、受信ＤＡＢ音声信号および受信ＦＭ音声信号を入力としてこれらに異なる補完演算を行って複数種の補完出力を生成し、選択手段１７は該複数種の補完出力のいずれか１つを選択するようにするものである。
【００４３】
このために選択手段１７は、平均値算出回路３７の出力を入力とする端子を備え、またスイッチ５６は、１／２除算回路５２′の出力（ＤＡＢのＬ，ＲチャネルとＦＭのＬ，Ｒチャネルの４信号の平均値）を入力とする端子を備える。また異常等の検出要因として本図中のブロック１６Ｄ，１６Ｆおよび４７を備え、これらの情報を入力として、選択制御部５５により種々の選択動作が行われる。この選択動作の中に「重み付け」を組み込んでも良い（後述）。
【００４４】
図１９は選択制御部５５による選択動作例を表す図である。
本図において、○は正常であることを、×は異常が発生していることを示す（以下、同様）。また「平均値」は、上述した１／２除算回路５２′からの４信号の平均値を示す。
この第１１の構成例において、補完制御手段１４は、上述の補完演算において、演算対象となる複数の信号の少なくとも１つに対し、所定の重み付けを行うようにしてもよい。
【００４５】
図２０は補完演算における重み付けの仕方の一例を示す図である。
例えば図１８を参照すると、加算回路５１は、予測値算出回路３６からのＤＡＢ側の信号ＳD と、遅延部２８からのＦＭ側の信号ＳF とを入力とするが、このとき、ＳD およびＳF に重み付け係数ｍおよびｍ′を乗算してから該回路５１に入力するようにする。つまりｍ×ＳD ＋ｍ′×ＳF である。
【００４６】
ｍの一例は次のとおりである。
▲１▼  ＦＭのマルチパス有り、ＳレベルＯＫ：ｍ＝０．５
▲２▼  ＦＭのマルチパスなし、ＳレベルＮＧ：ｍ＝０．５
▲３▼  ＦＭのマルチパス有り、ＳレベルＮＧ：ｍ＝０．２５
ｍ′の一例は次のとおりである。
【００４７】
▲１▼  ＤＡＢの異常期間がｘ1 ms以下：ｍ′＝０．７５
▲２▼  ＤＡＢの異常期間がｘ1 〜ｘ2 ms：ｍ′＝０．５
▲３▼  ＤＡＢの異常期間がｘ2 ms以上：ｍ′＝０．２５
図２１はユーザインタフェースについて説明する図である。
ユーザインタフェースは、選択手段１７が複数種の補完出力のいずれを選択すべきかを外部から指定する。
【００４８】
この選択の中には、ＤＡＢもＦＭも共に正常（○）であるときに、ＤＡＢとＦＭのいずれにするかについての選択も含まれる。また、この選択の中には、ＤＡＢもＦＭも共に異常（×）であるとき、既述の平均値やｍ／ｍ′のいずれにするかについての選択も含まれる。
さらに上記重み付け（ｍ／ｍ′）の程度もｎとして選択できる。例えばｍ×ｎ×ＳD ＋ｍ′×（１−ｎ）×ＳF というように、好みの程度ｎおよび（１−ｎ）を乗算する。
【００４９】
図２２は補完部１３の第１２の構成例を示す図である。
この第１２の構成例において補完制御手段１４は、受信ＤＡＢ音声信号のＬチャネルの信号およびＲチャネルの信号を用いて、ＦＭ受信部内のステレオ復調部におけるＬチャネルの信号およびＲチャネルの信号の相互の分離度を改善する。ＦＭ受信部１２では、ステレオ復調回路２５において、Ｌチャネルの信号とＲチャネルの信号とに分離する（セパレーション）。この分離の度合い、すなわちＦＭステレオ信号の分離度を改善するようにしたのがこの第１２の構成例である。
【００５０】
この分離度について考察すると、ＤＡＢステレオ信号における分離度はほぼ完璧である。ＤＡＢの場合は、ＬチャネルのディジタルデータとＲチャネルのディジタルデータは相互に完全に独立だからである。
そこで、ＤＡＢにおけるＬチャネルディジタルデータとＲチャネルディジタルデータとを、加算器５７および減算器５８に印加して、それぞれＬ＋ＲおよびＬ−Ｒの信号を生成して、これらの信号Ｌ＋ＲおよびＬ−Ｒを利用して、ステレオ復調回路２５でのステレオ分離度をより一層向上させるようにする。
【００５１】
ただし、ＤＡＢ側の信号に異常があったときは、上記信号Ｌ＋ＲおよびＬ−Ｒは信頼できないので、ＦＭ側でのステレオ分離に利用すべきでない。このため、スイッチ５９を設ける。このスイッチ５９は、異常検出手段１６においてＤＡＢ側の異常を検出したとき、オフとなる。
図２３は補完部１３の第１３の構成例を示す図である。
【００５２】
この第１３の構成例における補完制御手段１４は、受信ＤＡＢ音声信号の高域成分を抽出し、これを受信ＦＭ音声信号に付加するものである。
ＤＡＢ側の信号はディジタル信号であるため、高域成分はＦＭ側の信号に比べて伸びがよい。一方、ＦＭ側の信号は、ステレオ復調回路２５等での処理を経るにつれて、高域成分が劣化し易い。
【００５３】
そこで、ハイパスフィルタ６１によってＤＡＢ側の高域成分を抽出し、加算器６３により、その抽出した高域成分をＦＭ側の信号に付加するようにする。それらの中間にあるスイッチ６２の役目については次に述べる。
ＤＡＢ側高域成分のＦＭ側への付加は、ＤＡＢ側の異常時には行うべきでない。
【００５４】
あるいはユーザの好みによってもともとそのような高域成分の付加を望まないこともある。
そこで、前者の場合は、異常検出手段１６によりＤＡＢ側の異常を検出したことを示す情報が発生したか否か、一方後者の場合は、ユーザインタフェース（一例としてスイッチ（ＳＷ）を示す）６５により高域成分を付加してはならない旨の情報が与えられているか否かを、選択部６４にて判断し、上記各情報があるときは上記のスイッチ６２をオフにする。
【００５５】
【発明の効果】
以上説明したように本発明によれば、ＤＡＢ音声信号の異常時に、ＦＭ音声信号により代替または補完するという、いわゆるダイバーシチ効果が得られ、高品質な音声サービスを維持することが可能となる。
特に図７、図９、図１８、図２２および図２３の各構成によれば、より一層補完の精度が高まる。
【００５６】
また図１３および図１４の構成によれば、ＤＡＢからＦＭへの代替時に音声信号がスムースに切り換わる。
図１５および図１６の構成によればモノラル信号の特徴を活かして高品質な音声を確保することができる。
図１７の構成によれば、ＦＭ受信時にＦＭ音声異常があったとき、高品質な音声を確保することができる。
【図面の簡単な説明】
【図１】本発明に係るＤＡＢ／ＦＭ受信機の基本構成を表す図である。
【図２】本発明に係るＤＡＢ／ＦＭ受信機の一具体例を示す図である。
【図３】補完部１３の第１の構成例を示す図である。
【図４】データ異常が発生したときの補完処理を表す波形図である。
【図５】補完部１３の第２の構成例を示す図である。
【図６】データエラーが発生したときの補完処理を表す波形図である。
【図７】補完部１３の第３の構成例を示す図である。
【図８】異常が発生したときの補完処理を表す波形図である。
【図９】補完部１３の第４の構成例を示す図である。
【図１０】ＤＡＢの信号の予測値を得る過程を表した図である。
【図１１】補完部１３の第５の構成例を示す図である。
【図１２】ＤＡＢの信号の予測値を得る過程を表した図である。
【図１３】補完部１３の第６の構成例を示す図である。
【図１４】補完部１３の第７の構成例を示す図である。
【図１５】補完部１３の第８の構成例を示す図である。
【図１６】補完部１３の第９の構成例を示す図である。
【図１７】補完部１３の第１０の構成例を示す図である。
【図１８】補完部１３の第１１の構成例を示す図である。
【図１９】選択制御部５５による選択動作例を表す図である。
【図２０】補完演算における重み付けの仕方の一例を示す図である。
【図２１】ユーザインタフェースについて説明する図である。
【図２２】補完部１３の第１２の構成例を示す図である。
【図２３】補完部１３の第１３の構成例を示す図である。
【図２４】ＤＡＢ局とＦＭ局とが混在する様子を表す図である。
【符号の説明】
１０…ＤＡＢ／ＦＭ受信機
１１…ＤＡＢ受信部
１２…ＦＭ受信部
１３…補完部
１４…補完制御手段
１５…位相調整手段
１６…異常検出手段
１７…選択手段
２７…比較部
２８…遅延部
【図１】
0003963609.tif 000002
【図２】
0003963609.tif 000003
【図３】
0003963609.tif 000004
【図４】
0003963609.tif 000005
【図５】
0003963609.tif 000006
【図６】
0003963609.tif 000007
【図７】
0003963609.tif 000008
【図８】
0003963609.tif 000009
【図９】
0003963609.tif 000010
【図１０】
0003963609.tif 000011
【図１１】
0003963609.tif 000012
【図１２】
0003963609.tif 000013
【図１３】
0003963609.tif 000014
【図１４】
0003963609.tif 000015
【図１５】
0003963609.tif 000016
【図１６】
0003963609.tif 000017
【図１７】
0003963609.tif 000018
【図１８】
0003963609.tif 000019
【図１９】
0003963609.tif 000020
【図２０】
0003963609.tif 000021
【図２１】
0003963609.tif 000022
【図２２】
0003963609.tif 000023
【図２３】
0003963609.tif 000024
【図２４】
0003963609.tif 000025